(57)【要約】【課題】載置物が載置される位置によって光源が点灯しないことを抑制する照明器具を提供する。【解決手段】照明器具１は、光源８と、筐体２と、載置台３と、支持部４とを備える。筐体２は、光源８を支持する。載置台３は、第１の姿勢と第２の姿勢との間で姿勢が切り替わる。支持部４は、筐体２に取付けられて、載置台３を回動自在に支持する。支持部４は、載置台３の端部を支持する。載置台３は、載置物が載置されると、支持部４を支点として回動して第１の姿勢から第２の姿勢へと遷移する。載置台３が第２の姿勢になると、光源８が点灯する。【選択図】図２
2018186032.tif 000002
【特許請求の範囲】
【請求項１】
光源と、
前記光源を支持する筐体と、
第１の姿勢と第２の姿勢との間で姿勢が切り替わる載置台と、
前記筐体に取付けられて、前記載置台を回動自在に支持する支持部と
を備え、
前記支持部は、前記載置台の端部を支持し、
前記載置台は、載置物が載置されると、前記支持部を支点として回動して前記第１の姿勢から前記第２の姿勢へと遷移し、
前記載置台が前記第２の姿勢になると、前記光源が点灯する、照明器具。
【請求項２】
前記載置台は、前記筐体に対向して配置され、
前記載置台は、前記筐体とは反対側に載置面を有し、
前記筐体は、前記載置台と対向する対向面を有し、
前記載置台が前記第１の姿勢である場合において、前記載置面は、前記筐体の対向面に対して傾斜する、請求項１に記載の照明器具。
【請求項３】
前記載置台が前記第１の姿勢である場合において、前記載置面は、前記支持部側が下がるように傾斜する、請求項２に記載の照明器具。
【請求項４】
前記載置台が前記第２の姿勢である場合において、前記載置面は、前記筐体の対向面と平行である、請求項２又は請求項３に記載の照明器具。
【請求項５】
前記載置台が前記第２の姿勢である場合において、前記載置面は、略水平姿勢である、請求項２〜請求項４のいずれか１項に記載の照明器具。
【請求項６】
前記載置台を付勢する弾性部材を更に備え、
前記弾性部材は、前記載置台に前記載置物が載置されると圧縮され、
前記載置台は、前記弾性部材が圧縮されると、前記第１の姿勢から前記第２の姿勢へ遷移する、請求項１〜請求項５のいずれか１項に記載の照明器具。
【請求項７】
前記弾性部材は、前記筐体において、前記支持部とは反対側に設けられる、請求項６に記載の照明器具。
【請求項８】
前記弾性部材の位置を調整する調整部材を更に備え、
前記調整部材は、前記弾性部材の前記載置台に近いほうの端の位置を調整する、請求項６又は請求項７に記載の照明器具。
【請求項９】
前記載置台は、前記第１の姿勢である場合、前記筐体との間に隙間を形成する、請求項１〜請求項８のいずれか１項に記載の照明器具。
【請求項１０】
前記載置台は、前記光源が発する光を透過する、請求項１〜請求項９のいずれか１項に記載の照明器具。
【請求項１１】
前記載置台は、前記光源が発する光を拡散する、請求項１〜請求項１０のいずれか１項に記載の照明器具。
【請求項１２】
前記載置台は、前記第２の姿勢になると、前記筐体に当接する、請求項１〜請求項１１のいずれか１項に記載の照明器具。
【請求項１３】
前記光源を点灯及び消灯のいずれかに切り替えるスイッチを更に備え、
前記載置台は、前記第２の姿勢になると、前記スイッチをオンにして前記光源を点灯させる、請求項１〜請求項１２のいずれか１項に記載の照明器具。
【発明の詳細な説明】
【技術分野】
【０００１】
本発明は、照明器具に関する。
【背景技術】
【０００２】
特許文献１には、郵便箱本体と、ランプと、郵便物検知ユニットとを有する郵便箱が開示されている。ランプは、郵便箱本体の外側に向かって光を発する。郵便物検知ユニットは、郵便箱本体の内部において、郵便物を検知する。詳しくは、郵便物検知ユニットは、底板と、４本のばねと、郵便物載置板と、第１の金属部材と、第２の金属部材とを有する。第１の金属部材は、底板に配置され、第２の金属部材は、郵便物載置板に配置される。第２の金属部材は、第１の金属部材と対向する。４本のばねは、底板と郵便物載置板との間に配置されて、郵便物載置板を底板から離れる方向に付勢している。特許文献１には、郵便物載置板に郵便物が載置されると、ばねが収縮し、第１の金属部材と第２の金属部材とが接触して、ランプが点灯する旨が開示されている。
【先行技術文献】
【特許文献】
【０００３】
【特許文献１】登録実用新案第３１９４５７６号公報
【発明の概要】
【発明が解決しようとする課題】
【０００４】
しかしながら、特許文献１に開示の照明器具では、載置物が載置される位置によってランプが点灯しない虞がある。
【０００５】
本発明は上記課題に鑑み、載置物が載置される位置によって光源が点灯しないことを抑制する照明器具を提供することを目的とする。
【課題を解決するための手段】
【０００６】
本願に開示する照明器具は、光源と、筐体と、載置台と、支持部とを備える。前記筐体は、前記光源を支持する。前記載置台は、第１の姿勢と第２の姿勢との間で姿勢が切り替わる。前記支持部は、前記筐体に取付けられて、前記載置台を回動自在に支持する。前記支持部は、前記載置台の端部を支持する。前記載置台は、載置物が載置されると、前記支持部を支点として回動して前記第１の姿勢から前記第２の姿勢へと遷移する。前記載置台が前記第２の姿勢になると、前記光源が点灯する。
【０００７】
本願に開示する照明器具において、前記載置台は、前記筐体に対向して配置されてもよい。前記載置台は、前記筐体とは反対側に載置面を有してもよい。前記筐体は、前記載置台と対向する対向面を有してもよい。前記載置台が前記第１の姿勢である場合において、前記載置面は、前記筐体の対向面に対して傾斜してもよい。
【０００８】
本願に開示する照明器具において、前記載置台が前記第１の姿勢である場合、前記載置面は、前記支持部側が下がるように傾斜してもよい。
【０００９】
本願に開示する照明器具において、前記載置台が前記第２の姿勢である場合、前記載置面は、前記筐体の対向面と平行であってもよい。
【００１０】
本願に開示する照明器具において、前記載置台が前記第２の姿勢である場合、前記載置面は、略水平姿勢であってもよい。
【００１１】
本願に開示する照明器具は、前記載置台を付勢する弾性部材を更に備えてもよい。前記弾性部材は、前記載置台に前記載置物が載置されると圧縮されてもよい。前記載置台は、前記弾性部材が圧縮されると、前記第１の姿勢から前記第２の姿勢へ遷移してもよい。
【００１２】
本願に開示する照明器具において、前記弾性部材は、前記筐体において、前記支持部とは反対側に設けられてもよい。
【００１３】
本願に開示する照明器具は、前記弾性部材の位置を調整する調整部材を更に備えてもよい。前記調整部材は、前記弾性部材の前記載置台に近いほうの端の位置を調整してもよい。
【００１４】
本願に開示する照明器具において、前記載置台は、前記第１の姿勢である場合、前記筐体との間に隙間を形成してもよい。
【００１５】
本願に開示する照明器具において、前記載置台は、前記光源が発する光を透過してもよい。
【００１６】
本願に開示する照明器具において、前記載置台は、前記光源が発する光を拡散してもよい。
【００１７】
本願に開示する照明器具において、前記載置台は、前記第２の姿勢になると、前記筐体に当接してもよい。
【００１８】
本願に開示する照明器具は、前記光源を点灯及び消灯のいずれかに切り替えるスイッチを更に備えてもよい。前記載置台は、前記第２の姿勢になると、前記スイッチをオンにして前記光源を点灯させてもよい。
【発明の効果】
【００１９】
本発明によれば、載置物が載置される位置によって光源が点灯しないことを抑制することができる。
【図面の簡単な説明】
【００２０】
【図１】（ａ）及び（ｂ）は、本発明の実施形態に係る照明器具を示す斜視図である。
【図２】本発明の実施形態に係る照明器具の構成を示す分解斜視図である。
【図３】本発明の実施形態に係る照明器具を示す上面図である。
【図４】本発明の実施形態に係る照明器具を示す正面図である。
【図５】本発明の実施形態に係る支持部及びその近傍を模式的に示す断面図である。
【図６】本発明の実施形態に係る載置台及び支持部を取り外した照明器具を示す上面図である。
【図７】本発明の実施形態に係る照明器具を示す底面図である。
【図８】図７に示すＶＩＩＩ−ＶＩＩＩ線に沿った断面図である。
【図９】本発明の実施形態に係る載置物が載置されていない照明器具を示す図である。
【図１０】本発明の実施形態に係る載置物が載置された照明器具を示す図である。
【図１１】（ａ）及び（ｂ）は、本発明の実施形態に係る照明器具の変形例を示す斜視図である。
【図１２】本発明の実施形態に係る照明器具の変形例を示す正面図である。
【発明を実施するための形態】
【００２１】
以下、図面を参照して本発明に係る照明器具の実施形態について説明する。なお、図中、同一又は相当部分については同一の参照符号を付して説明を繰り返さない。
【００２２】
まず、図１（ａ）及び図１（ｂ）を参照して、本実施形態に係る照明器具１について説明する。図１（ａ）及び図１（ｂ）は、本実施形態に係る照明器具１を示す斜視図である。本実施形態に係る照明器具１は、例えば、トイレットルームなどに設置されて、トイレットルームを使用する使用者の手荷物の置き忘れを抑制する。照明器具１は、例えば、壁面Ｗに取り付けられる。なお、照明器具１は、例えば、トイレットペーパーホルダーの上方に取付けられる。図１（ａ）は、壁面Ｗに取付けられた照明器具１を斜め下方から見た図であり、図１（ｂ）は、壁面Ｗに取付けられた照明器具１を斜め上方から見た図である。
【００２３】
図１（ａ）及び図１（ｂ）に示すように、照明器具１は、筐体２、載置台３、及び支持部４を備える。以下では、照明器具１において、載置台３が配置される側を照明器具１の上側とし、その反対側を照明器具１の下側として本実施形態を説明する。また、照明器具１において、支持部４が配置される側を照明器具１の後ろ側とし、その反対側を照明器具１の前側として本実施形態を説明する。更に、照明器具１を前側から見たときの右側を照明器具１の右側とし、その反対側を照明器具１の左側として本実施形態を説明する。
【００２４】
図１（ａ）に示すように、筐体２は、略直方体の形状を有する。筐体２の上方には、載置台３が配置される。載置台３は、略平板状の形状を有する。本実施形態における載置台３は、例えば、２つのトイレットペーパーを左右に並べて収容するトイレットペーパーホルダーの大きさに対応する。載置台３は、筐体２と対向する第１対向面３１を有する。
【００２５】
図１（ｂ）に示すように、載置台３は、載置面３２を有する。載置面３２は、図１（ａ）を参照して説明した第１対向面３１と上下方向において対向する。載置面３２には、載置物Ｐが載置される。載置物Ｐは、例えば、携帯電話、及び財布のような手荷物である。
【００２６】
支持部４は、照明器具１を壁面Ｗに取付ける場合、壁面Ｗ側に配置される。支持部４は、筐体２に取り付けられて、載置台３を支持する。本実施形態において、支持部４は、上方から筐体２に取り付けられる。
【００２７】
続いて、図２を参照して、本実施形態に係る照明器具１の構成について説明する。図２は、本実施形態に係る照明器具１の構成を示す分解斜視図である。詳しくは、図２は、右前方の上方から見た照明器具１を示す。
【００２８】
図２に示すように、照明器具１は、筐体２、載置台３、及び支持部４に加え、取付金具５、人感センサ６、スイッチ７、光源モジュール８、及び弾性部材９を備える。
【００２９】
筐体２は、前壁２１、上壁２２、下壁２３、及び後壁２４を有し、前壁２１、上壁２２、下壁２３、及び後壁２４によって囲まれる内部空間を有する。上壁２２は、その一部（左右方向の中央部分）が開放されている。上壁２２は、右上壁２２１及び左上壁２２２を有する。
【００３０】
また、筐体２は、２つの支持孔２５を有する。各支持孔２５は、上壁２２から下壁２３まで連通する。２つの支持孔２５は、右上壁２２１の前側及び左上壁２２２の前側にそれぞれ設けられる。
【００３１】
筐体２は、載置台３と対向する第２対向面２２ｓを有する。第２対向面２２ｓは、筐体２の上壁２２によって構成される。
【００３２】
載置台３は、筐体２の上壁２２の開放部分、右上壁２２１、及び左上壁２２２を覆うように、筐体２の上方に配置される。
【００３３】
載置台３は、第１側面３３、前面３４、第２側面３５、及び背面３６を有する。第１側面３３と第２側面３５とは左右方向において対向する。
【００３４】
また、載置台３は、支持部４と係合する係合部３７を有する。係合部３７は、載置台３の後ろ側に設けられる。本実施形態において、係合部３７は、後ろ側が切り欠かれた長孔３７１を有する。長孔３７１は、左右方向に延びる。長孔３７１は、載置台３を厚さ方向（上下方向）に貫通する。
【００３５】
支持部４は、筐体２との間に載置台３を挟んで筐体２に取り付けられる。支持部４は、留め機構４１及び抑え部材４４を有する。
【００３６】
留め機構４１は、２つのネジ４２及び２つのネジ孔４３を含む。２つのネジ孔４３は、筐体２の上壁２２に形成される。詳しくは、２つのネジ孔４３は、右上壁２２１の後ろ側、及び左上壁２２２の後ろ側にそれぞれ設けられる。
【００３７】
抑え部材４４は、ベース部４５を有する。ベース部４５には、２つのネジ４２が挿入される２つの挿入孔４７が形成される。２つの挿入孔４７は、ベース部４５を貫通する。２つの挿入孔４７は、ベース部４５の左右方向に離れて設けられる。本実施形態において、２つの挿入孔４７は、ベース部４５の左右方向の端部にそれぞれ設けられる。
【００３８】
抑え部材４４は、２つの突起部４６を更に有する。２つの突起部４６は、ベース部４５の下面からベース部４５と直交する方向に延在する。２つの突起部４６は、２つの挿入孔４７に対応する位置に配置される。換言すると、２つの突起部４６は、ベース部４５の左右方向の両端部にそれぞれ配置される。２つの突起部４６の各々には、対応する挿入孔４７と連通する孔が形成される。突起部４６に形成された孔には、対応する挿入孔４７に挿入されたネジ４２が貫入する。突起部４６の孔に貫入したネジ４２は、対応するネジ孔４３に螺着される。
【００３９】
照明器具１を組み立てる場合、作業者は、まず、筐体２の上面に配置した載置台３に抑え部材４４を係合させる。詳しくは、載置台３の長孔３７１に突起部４６を挿通する。その後、作業者は、２つのネジ４２の各々を、２つの挿入孔４７のそれぞれに挿通させて、対応するネジ孔４３に螺着する。これにより、載置台３及び支持部４が筐体２（上壁２２）に取り付けられる。
【００４０】
取付金具５は、図１（ａ）及び図１（ｂ）を参照して説明した壁面Ｗに筐体２を固定するために使用される。本実施形態において、筐体２は、第２対向面２２ｓが略水平（水平を含む）となるように、壁面Ｗに取付けられる。
【００４１】
人感センサ６は、その一部が筐体２の前壁２１から露出するように、筐体２の内部空間に収容される。人感センサ６は、検知範囲を有する。人感センサ６は、検知体が発する赤外線を受光することによって、検知体の有無（存在）を検知する。詳しくは、人感センサ６は、検知範囲から受光する赤外線の変化によって、検知範囲内の検知体の有無（存在）を検知する。検知体は、例えば、人体である。
【００４２】
スイッチ７は、載置台３の載置面３２に載置物Ｐが載置されていない場合、オフの状態となる。一方、載置台３の載置面３２に載置物Ｐが載置されると、オンの状態となる。本実施形態では、載置台３の第１対向面３１が筐体２の上壁２２に当接すると、スイッチ７は、オンの状態となる。スイッチ７は、例えば、マイクロスイッチである。
【００４３】
スイッチ７は、スイッチケース７１及びアクチュエータ７２を有する。スイッチケース７１は、筐体２の内部空間に収容されてアクチュエータ７２を支持する。アクチュエータ７２は、スイッチケース７１側を基端として、斜め上方に延びる。詳しくは、アクチュエータ７２は、図１（ｂ）を参照して説明した載置物Ｐが載置台３の載置面３２に載置されていない場合、先端側の一部（ローラー部分）が筐体２の上面よりも上方に突出する。
【００４４】
光源モジュール８は、光を出射する。光源モジュール８は、例えば、ＬＥＤ（Ｌｉｇｈｔ  Ｅｍｉｔｔｉｎｇ  Ｄｉｏｄｅ）基板を有する。ＬＥＤ基板は、ＬＥＤを含む。ＬＥＤは、光源の一例である。本実施形態において、光源モジュール８は、スイッチ７がオンの状態である間に人感センサ６が検知体を検知すると点灯する。
【００４５】
光源モジュール８は、筐体２に支持される。本実施形態において、光源モジュール８は、筐体２に取付けられて固定される。光源モジュール８は、筐体２に取付けられた載置台３の背面３６と対向する。したがって、光源モジュール８から発せられた光は、載置台３の背面３６に入射する。
【００４６】
本実施形態において、載置台３は、光源モジュール８が発する光を透過する透過部材で構成される。透過部材は、例えば、アクリル樹脂である。したがって、載置台３は、背面３６に光が入射すると、第１対向面３１、載置面３２、第１側面３３、前面３４、及び第２側面３５から光を出射する。
【００４７】
第１対向面３１、載置面３２、第１側面３３、前面３４、及び第２側面３５には、光拡散処理が施される。本実施形態において、載置台３の載置面３２には、例えば、シルク印刷によって乳白色の光拡散膜が形成される。また、第１対向面３１、第１側面３３、前面３４、及び第２側面３５には、例えば、サンドブラスト法のような物理的エッジング法によって凹凸形状が形成される（ケシ加工が施される）。
【００４８】
弾性部材９は、載置台３を筐体２の第２対向面２２ｓ（上壁２２）から離れる方向に付勢する。本実施形態において、弾性部材９は、２つのバネ９１である。詳しくは、本実施形態において、照明器具１は、２つのバネ９１を備える。２つのバネ９１は、２つの支持孔２５にそれぞれ配置される。
【００４９】
本実施形態において、各バネ９１の上端は、載置台３の載置面３２に載置物Ｐが載置されていない場合、上壁２２よりも上方に突出する。詳しくは、載置台３の載置面３２に載置物Ｐが載置されていない場合、各バネ９１の上端の上下方向の位置は、アクチュエータ７２の先端の上下方向の位置と略一致する。
【００５０】
次に、図３〜図５を参照して、本実施形態に係る載置台３及び支持部４の構成について説明する。図３は、本実施形態に係る照明器具１を示す上面図である。図４は、本実施形態に係る照明器具１を示す正面図である。図５は、支持部４及びその近傍を模式的に示す断面図である。なお、図３では、理解を容易にするために、２つのネジ４２を省略している。
【００５１】
図３に示すように、係合部３７の長孔３７１の前後方向の長さＬ１は、突起部４６の前後方向の長さＬ２よりも大きい。したがって、載置台３と突起部４６との間に隙間が形成される。
【００５２】
また、図４に示すように、載置台３の載置面３２とベース部４５の下面４５１との間に隙間が形成される。詳しくは、図５に示すように、載置台３の厚さｔは、ベース部４５の下面４５１と筐体２の第２対向面２２ｓとの間の距離ｄよりも小さい。
【００５３】
また、図５に示すように、載置台３の長孔３７１の上端部及び下端部は、拡径している。
【００５４】
したがって、これらの構成によって、載置台３は、２つの突起部４６を支点として、第１回動方向Ｒ１及び第２回動方向Ｒ２に沿って回動することができる。本実施形態において、２つの突起部４６は、図２を参照して説明したように、ベース部４５の左右方向の両端部に配置される。したがって、載置台３は、左右方向に延在する回動軸を有する。
【００５５】
続いて、図６を参照して、本実施形態に係る筐体２の構成について説明する。図６は、本実施形態に係る載置台３及び支持部４を取り外した照明器具１を示す上面図である。
【００５６】
図６に示すように、スイッチ７は、筐体２の内部空間に配置される。詳しくは、スイッチ７は、アクチュエータ７２の先端部が筐体２の前後方向の中央より前方に位置するように配置される。本実施形態において、スイッチ７は、アクチュエータ７２が各バネ９１よりも後方に位置するように配置される。
【００５７】
また、２つの支持孔２５は、２つのネジ孔４３と前後方向において対向する。詳しくは、筐体２の右上壁２２１に設けられた支持孔２５の中心の左右方向の位置と、筐体２の右上壁２２１に設けられたネジ孔４３の中心の左右方向の位置とが略一致し、筐体２の左上壁２２２に設けられた支持孔２５の中心の左右方向の位置と、筐体２の左上壁２２２に設けられたネジ孔４３の中心の左右方向の位置とが略一致する。
【００５８】
次に、図７を参照して、本実施形態に係る照明器具１の構成について更に説明する。図７は、本実施形態に係る照明器具１を示す底面図である。
【００５９】
図７に示すように、照明器具１は、位置調整機構１０を更に備える。位置調整機構１０は、弾性部材９の上下方向の位置を調整する。本実施形態では、２つのバネ９１に対応して、２つの位置調整機構１０が設けられる。各位置調整機構１０は、調整ネジ１１を有する。換言すると、照明器具１は、２つの調整ネジ１１を備える。２つの調整ネジ１１は、２つの支持孔２５にそれぞれ配置される。詳しくは、調整ネジ１１は、筐体２の下面側から下壁２３に螺着される。なお、調整ネジ１１は、調整部材の一例である。
【００６０】
次に、図８を参照して、本実施形態に係る弾性部材９及び位置調整機構１０について説明する。図８は、図７に示すＶＩＩＩ−ＶＩＩＩ線に沿った断面を示す図である。なお、右上壁２２１に配置された位置調整機構１０は、左上壁２２２に配置された位置調整機構１０と構成が略同じである。したがって、図８では、右上壁２２１に配置された位置調整機構１０について説明し、左上壁２２２に配置された位置調整機構１０についての説明は省略する。
【００６１】
図８に示すように、バネ９１は、第１端部９１１（上端）及び第２端部９１２（下端）を有する。第１端部９１１は、載置台３の第１対向面３１に当接している。第２端部９１２は、調整ネジ１１に当接する。したがって、バネ９１は、調整ネジ１１によって下方から支持される。
【００６２】
位置調整機構１０は、ネジ溝１２を更に有する。ネジ溝１２は、支持孔２５を構成する周面に形成される。ネジ溝１２には、調整ネジ１１が螺着される。したがって、作業者は、六角ドライバーなどの工具を用いて、支持孔２５における調整ネジ１１の上下方向の位置を変更することができる。これにより、作業者は、バネ９１の第１端部９１１（載置台３に近い方の端）の上下方向の位置を調整することができる。
【００６３】
詳しくは、作業者は、バネ９１の第１端部９１１を上方向に移動させる場合、調整ネジ１１を第１方向に回転させる。これにより、調整ネジ１１が上方へ移動する。調整ネジ１１が上方に移動すると、バネ９１が押し上げられてバネ９１の第１端部９１１が上方に移動する。一方、作業者は、バネ９１の第１端部９１１を下方向に移動させる場合、調整ネジ１１を第１方向とは反対の第２方向に回転させる。これにより、調整ネジ１１が下方へ移動する。調整ネジ１１が下方に移動すると、調整ネジ１１の移動に伴ってバネ９１が下方に移動し、バネ９１の第１端部９１１が下方に移動する。
【００６４】
次に、図９及び図１０を参照して、本実施形態に係る照明器具１の動作について説明する。図９は、本実施形態に係る載置物Ｐが載置されていない照明器具１を示す図である。図１０は、本実施形態に係る載置物Ｐが載置された照明器具１を示す図である。なお、図９及び図１０は、照明器具１を右側から見た図を示す。また、図９に示す１点鎖線は、第２対向面２２ｓと平行な面を示す。
【００６５】
図９に示すように、載置物Ｐが載置面３２に載置されていない状態において、バネ９１の第１端部９１１は、筐体２の上壁２２よりも上方に突出している。換言すると、バネ９１は、載置台３単体を持ち上げることができる剛性を有している。本実施形態において、バネ９１の剛性は、載置台３の載置面３２に載置物Ｐが載置されていないとき、概ね弾性変形しない値に設定されている。換言すると、バネ９１は、載置物Ｐが載置面３２に載置されない状態において概ね自然長である。また、バネ９１の剛性は、所定重量以上の載置物Ｐが載置面３２に載置されると、載置台３（第１対向面３１）がスイッチ７（アクチュエータ７２）を押圧してスイッチ７をオンの状態に遷移させる値に設定されている。所定重量は、例えば、１００ｇである。したがって、載置台３の載置面３２に載置物Ｐが載置されていない場合、スイッチ７は、オフの状態である。
【００６６】
また、載置台３の載置面３２に載置物Ｐが載置されていない場合において、載置台３の載置面３２は、第２対向面２２ｓに対して傾斜している。詳しくは、載置面３２は、支持部４側（後ろ側）が下がるように傾斜している。以下、載置台３の載置面３２が第２対向面２２ｓに対して傾斜している姿勢を「第１の姿勢」と記載する。載置面３２の第２対向面２２ｓに対する傾斜角度θｓは、例えば、「１°」である。したがって、載置台３の第１対向面３１の前側は、筐体２の第２対向面２２ｓから離れており、載置台３と筐体２との間に隙間Ｇが形成される。
【００６７】
図９及び図１０に示すように、載置物Ｐが載置面３２に載置されると、載置台３を介してバネ９１に載置物Ｐの荷重が加わりバネ９１が圧縮される。換言すると、バネ９１が縮む。
【００６８】
図２を参照して説明したように、載置台３は、突起部４６を支点として回動自在に筐体２に支持されている。このため、バネ９１が縮むにつれて、載置台３は、突起部４６を支点として第１回動方向Ｒ１に回動する。載置台３が、突起部４６を支点として第１回動方向Ｒ１に回動すると、スイッチ７のアクチュエータ７２が載置台３の第１対向面３１によって押圧される。載置台３の第１対向面３１が筐体２の上壁２２に当接する位置まで載置台３が回動すると、スイッチ７のアクチュエータ７２が押し下げされて、スイッチ７がオンの状態になる。以下、載置台３の第１対向面３１が筐体２の上壁２２に当接する位置まで回動した載置台３の姿勢を「第２の姿勢」と記載する。
【００６９】
なお、載置台３が第２の姿勢である場合において、載置台３の載置面３２は、第２対向面２２ｓに対して平行である。換言すると、載置台３の載置面３２の第２対向面２２ｓに対する傾斜角度θｓは、「０°」である。本実施形態において、筐体２は、第２対向面２２ｓが略水平となるように壁面Ｗに固定される。したがって、載置台３が第２の姿勢である場合、載置台３の載置面３２は、略水平（水平を含む）である。これにより、載置台３（載置面３２）に載置された載置物Ｐが載置台３から転がり落ちることを抑制することができる。
【００７０】
一方、載置台３から載置物Ｐが取り去られて、バネ９１に荷重が加わらなくなると、バネ９１は、載置台３を筐体２から離れる方向へ付勢する。これにより、載置台３が突起部４６を支点として第２回動方向Ｒ２に回動し、載置台３の姿勢が第１の姿勢となる。上述のように、バネ９１の剛性は、載置台３の載置面３２に載置物Ｐが載置されていないとき、概ね弾性変形しない値に設定されている。したがって、載置台３は、載置面３２に載置物Ｐが載置されるまで第１の姿勢を維持する。詳しくは、バネ９１は、概ね自然長を維持する。載置台３の載置面３２は、支持部４側が下がるように傾斜した姿勢を維持する。
【００７１】
以上、本発明の実施形態について説明した。本実施形態によれば、載置台３は、左右方向に延びる回動軸を有する。したがって、載置台３の姿勢は、載置物Ｐの重量が所定重量以上である限り、載置面３２のいずれの箇所に、載置物Ｐが載置された場合であっても第２の姿勢となる。この結果、照明器具１は、載置物Ｐが載置される位置によって光源が点灯しないことを抑制することができる。
【００７２】
また、本実施形態において、載置台３が第２の姿勢である場合、第１対向面３１は、筐体２（上壁２２）に当接する。したがって、載置台３の第２の姿勢が安定する。本実施形態において、第２の姿勢は、略水平である。したがって、載置物Ｐが載置台３から滑り落ちることを抑制することができる。
【００７３】
また、載置台３が第２の姿勢である場合に、第１対向面３１が筐体２（上壁２２）に当接するため、載置物Ｐの重量によらず、載置台３の第２の姿勢が安定する。この結果、載置物Ｐの載置台３からの落下を抑制することができる。また、載置台３の第２の姿勢が安定するため、確実にスイッチ７がオンの状態になる。
【００７４】
また、本実施形態によれば、載置台３が第１の姿勢である場合、筐体２と載置台３との間に隙間Ｇが形成される。この結果、筐体２の内部空間に収容された電気部品の放熱性が向上する。
【００７５】
また、本実施形態において、照明器具１は、支持部４が壁面Ｗ側となるように壁面Ｗに固定され、載置台３の姿勢が第１の姿勢である場合、載置台３は、壁面Ｗ（支持部４）側が下がるように傾斜している。したがって、載置物Ｐの重量が所定重量未満であっても載置台３から載置物Ｐが滑り落ちることを抑制することができる。
【００７６】
また、本実施形態によれば、載置台３は、載置台３の重心からずれた位置（後方）を支点として回動する。この結果、載置台３のガタツキを抑制することができる。
【００７７】
また、本実施形態によれば、２つの支持孔２５は、２つのネジ孔４３と前後方向において対向する。２つの支持孔２５の各々には、バネ９１が配置される。また、２つのネジ孔４３の各々には、突起部４６を貫通したネジ４２が螺着される。したがって、２つのバネ９１は、２つの突起部４６と対向する位置に配置される。２つのバネ９１は、載置台３の前側の端部を支持し、２つの突起部４６は、載置台３の後ろ側を支持する。したがって、載置台３の姿勢が安定する。
【００７８】
また、本実施形態によれば、載置台３の載置面３２にシルク印刷が施される。これにより、筐体２の内部が見えなくなる。この結果、筐体２の内部に配置されたスイッチ７などの電子部品が目視できなくなるため、照明器具１の美観が向上する。
【００７９】
また、本実施形態によれば、第１対向面３１、第１側面３３、前面３４、及び第２側面３５にサンドブラスト法のような物理的エッジング法によって凹凸形状が形成される。これにより、載置台３の第１対向面３１、載置面３２、第１側面３３、前面３４、及び第２側面３５の全てにシルク印刷を施す場合に比べて、光効率の低下を抑制することができる。この結果、光源モジュール８の消費電力を抑えることができる。
【００８０】
また、本実施形態によれば、載置台３に光拡散処理が施される。したがって、例えば、使用者の目線が照明器具１と対向した場合であっても、まぶしさを低減することができる。
【００８１】
また、本実施形態によれば、載置台３は、２本のバネ９１によって筐体２から離れる方向に付勢される。したがって、登録実用新案第３１９４５７６号公報に開示されているような４本のバネを使用する場合に比べてコストを削減することができる。
【００８２】
また、本実施形態によれば、スイッチ７が筐体２の前側（支持部４と反対側）に配置される。したがって、スイッチ７が筐体２の後ろ側（支持部４側）に配置される場合に比べて、載置台３の傾斜角度θｓを小さく設定することができる。載置台３の傾斜角度θｓを小さくすることで、筐体２と載置台３との間に形成される隙間Ｇを小さくすることができる。これにより、埃などの異物が隙間Ｇを介して筐体２の内部に侵入することが軽減される。
【００８３】
また、本実施形態において、照明器具１は、位置調整機構１０を備える。これにより、弾性部材９の上下方向を調整することができる。したがって、長期の使用によって弾性部材９の弾性が低下した場合であっても、第２対向面２２ｓに対する載置面３２の傾斜角度θｓを一定に保つことができる。
【００８４】
また、本実施形態によれば、スイッチ７がオンの状態である間に人感センサ６が検知体を検知すると点灯する。これにより、載置物Ｐが置き忘れられないように使用者（手荷物の所有者）に対して注意を喚起することができる。
【００８５】
なお、本実施形態において、支持部４が留め機構４１及び抑え部材４４を備える構成を説明したが、支持部４の構成は、これに限定されない。支持部４は、載置台３が左右方向に延びる回動軸を中心に回動自在となる構成を有していればよい。
【００８６】
また、本実施形態において、載置台３の回動軸が左右方向に延びる構成を説明したが、載置台３の回動軸は、これに限定されない。載置台３の回動軸は、載置面３２の面方向に含まれる方向に延びればよい。
【００８７】
また、本実施形態において、照明器具１が２つの突起部４６を備える構成を説明したが、照明器具１が備える突起部４６の数は、２つに限定されない。照明器具１は、１つ又は３つ以上の突起部４６を備えてもよい。照明器具１が１つの突起部４６を備える場合、突起部４６は左右方向に延在することが好ましい。これにより、載置台３の姿勢が安定する。また、挿入孔４７及びネジ孔４３の数は、突起部４６の数に応じて変更され得る。
【００８８】
また、本実施形態において、照明器具１が２つのバネ９１を備える構成を説明したが、照明器具１が備えるバネの数は、２つに限定されない。照明器具１は、１つ又は３つ以上のバネを備えてもよい。この場合、位置調整機構１０の数は、バネの数に応じて変更される。
【００８９】
また、本実施形態において、筐体２の右上壁２２１に設けられた支持孔２５が、筐体２の右上壁２２１に設けられたネジ孔４３と前後方向において対向する構成を説明したが、支持孔２５は、筐体２の右上壁２２１に設けられたネジ孔４３と前後方向において対向しなくてもよい。同様に、筐体２の左上壁２２２に設けられた支持孔２５は、筐体２の左上壁２２２に設けられたネジ孔４３と前後方向において対向しなくてもよい。換言すると、支持孔２５及びネジ孔４３は、筐体２の任意の位置に設けることができる。
【００９０】
また、本実施形態において、スイッチ７が弾性部材９よりも後方に配置される構成を説明したが、スイッチ７は、弾性部材９と前後方向の位置が一致してもよい。あるいは、スイッチ７は、弾性部材９よりも前方に配置されてもよい。
【００９１】
また、本実施形態において、スイッチ７が筐体２の内部空間に配置される構成を説明したが、スイッチ７は、２つの支持孔２５のいずれかに配置されてもよい。
【００９２】
また、本実施形態において、スイッチ７がマイクロスイッチである場合を例に説明したが、スイッチ７は、マイクロスイッチに限定されない。スイッチ７は、例えば、圧電素子、重量センサ、及びタッチセンサであり得る。
【００９３】
また、本実施形態では、載置台３の第１対向面３１、第１側面３３、前面３４、及び第２側面３５に光拡散処理が施される形態について説明したが、第１対向面３１、載置面３２、第１側面３３、前面３４、及び第２側面３５のいずれかの面に光拡散処理が施されない形態であってもよい。
【００９４】
また、光拡散処理は、第１対向面３１、載置面３２、第１側面３３、前面３４、及び第２側面３５のそれぞれの全域に施されてもよいし、第１対向面３１、載置面３２、第１側面３３、前面３４、及び第２側面３５のそれぞれの一部の領域に施されてもよい。
【００９５】
また、本実施形態において、載置台３は、表面に光拡散処理が施された透過部材であったが、載置台３は、これに限定されない。例えば、載置台は、アクリル系微粒子やシリコーン系微粒子などの拡散剤を含む透明樹脂材料で成形したものであってもよい。この場合、成形後の透明樹脂材料は、光拡散処理を施す必要はない。
【００９６】
また、本実施形態において、光源モジュール８が発する光が、載置台３から出射される構成を説明したが、光源モジュール８が発する光を出射する部材は、載置台３に限定されない。例えば、光源モジュール８が発する光は、筐体２の前壁２１などの筐体２の壁部から出射されてもよい。この場合、筐体２の壁部は、表面に光拡散処理が施された透過部材で構成され得る。
【００９７】
また、本実施形態において、照明器具１が、人感センサ６を備える構成を説明したが、人感センサ６は省略し得る。この場合、光源の点灯及び消灯は、スイッチ７の状態に応じて切り替わる。例えば、光源は、スイッチ７がオンの状態になると点灯し、スイッチ７がオフの状態になると、消灯する。
【００９８】
また、本実施形態において、照明器具１が位置調整機構１０を備える構成を説明したが、照明器具１は、位置調整機構１０を省略し得る。
【００９９】
以上、本発明の実施形態について、図面（図１〜図１０）を参照しながら説明した。但し、本発明は、上記の実施形態に限られるものではなく、その要旨を逸脱しない範囲で種々の態様において実施することが可能である。また、上記の実施形態で示す形状、材質、及び数値等は、一例であって特に限定されるものではなく、本発明の効果から実質的に逸脱しない範囲で種々の変更が可能である。
【０１００】
例えば、本発明の実施形態では、照明器具１がトイレットルームに設置される場合を例に説明したが、照明器具１の設置場所は、トイレットルームに限定されない。照明器具１は、例えば、試着室に設置されてもよい。
【０１０１】
また、本発明の実施形態では、壁面Ｗに取付けられる照明器具１を例に説明したが、本発明は、例えば、床面に取付けられる照明器具にも適用され得る。
【０１０２】
また、本発明の実施形態では、２つのトイレットペーパーを左右方向に並べて収容可能なトイレットペーパーホルダーに対応するサイズの載置台３を例に説明したが、載置台３のサイズは、特に限定されない。例えば、図１１（ａ）、図１１（ｂ）、及び図１２に示すように、載置台３のサイズは、１つのトイレットペーパーを収容可能なトイレットペーパーホルダーに対応するサイズであってもよい。図１１（ａ）及び図１１（ｂ）は、本実施形態に係る照明器具１の変形例を示す斜視図である。図１２は、本実施形態に係る照明器具１の変形例を示す正面図である。載置台３のサイズが変更された場合、照明器具１が備える弾性部材９の剛性は、載置台３の自重を考慮して変更され得る。
【符号の説明】
【０１０３】
１        照明器具
２        筐体
３        載置台
４        支持部
７        スイッチ
８        光源モジュール
９        弾性部材
１０      位置調整機構
２２ｓ    第２対向面
３２      載置面
【図１】
2018186032.tif 000003
【図２】
2018186032.tif 000004
【図３】
2018186032.tif 000005
【図４】
2018186032.tif 000006
【図５】
2018186032.tif 000007
【図６】
2018186032.tif 000008
【図７】
2018186032.tif 000009
【図８】
2018186032.tif 000010
【図９】
2018186032.tif 000011
【図１０】
2018186032.tif 000012
【図１１】
2018186032.tif 000013
【図１２】
2018186032.tif 000014